(57)【要約】【課題】各種の部品交換が容易であり、しかも部品交換を低コストで行うことができ、部品の再利用が可能であって資源の無駄を省けるバッテリパックの修復方法を提供する。【解決手段】例えば出力電圧が低下する場合、所定の複数の二次電池１１を収容する二次電池収容体（下ハウジング３）と、複数の二次電池からの電力を制御管理する各種構成部品、前記複数の二次電池１１との接続関係のある直列の複数の二次電池１１、及び、二次電池１１からの電力を出力する端子を収容する部品保護体（上ハウジング５）とを一体化手段（ネジ６）を外すことで分解する（分解工程）。部品保護体内の二次電池１１、もしくは二次電池収容体内の二次電池１１のうち、能力の低下した二次電池１１を取り出して正常な二次電池と交換する（交換工程）。しかる後、一体化手段の利用により二次電池収容体と部品保護体との着脱可能の一体化を図る。【選択図】図１
2007311319.tif 000002
【特許請求の範囲】
【請求項１】
バッテリパックの修復方法であって、
出力電圧が低下する場合、
所定の配列及び所定の接続の複数の蓄電池を収容する二次電池収容体と、
前記複数の二次電池からの電力を制御管理する各種構成部品、前記複数の二次電池との接続関係のある直列の複数の蓄電池、及び、前記蓄電池からの電力を出力する端子を収容する部品保護体と、
を一体化する一体化手段を外すことにより、前記二次電池収容体と前記部品保護体との着脱可能の一体化を分解する分解工程を有し、
かつ、前記部品保護体内の前記二次電池、もしくは前記二次電池収容体内の前記二次電池のうち、能力の低下した二次電池を取り出して正常な二次電池と交換する交換工程を有し、
しかる後に、前記一体化手段の利用により前記二次電池収容体と前記部品保護体との着脱可能の一体化を図ることを特徴とするバッテリパックの修復方法。
【請求項２】
バッテリパックの修復方法であって、
出力電圧が生じない場合、
所定の配列及び所定の接続の複数の二次電池を収容する二次電池収容体と、
前記複数の二次電池からの電力を制御管理する各種構成部品、前記複数の二次電池との接続関係のある直列の複数の二次電池、及び、前記二次電池からの電力を出力する端子を収容する部品保護体と、
を一体化する一体化手段を外すことにより、前記二次電池収容体と前記部品保護体との着脱可能の一体化を分解する分解工程を有し、
かつ、前記部品保護体内の前記複数の二次電池からの電力を制御管理する各種構成部品を取り出して正常な構成部品と交換する交換工程を有し、
しかる後に、前記一体化手段により前記二次電池収容体と前記部品保護体との着脱可能の一体化を図ることを特徴とするバッテリパックの修復方法。
【発明の詳細な説明】
【技術分野】
【０００１】  本発明は、持ち運びが可能であり、構成部品の交換が容易であるバッテリパックの修復方法に関する。
【背景技術】
【０００２】  従来より、例えば工場、建設現場等において使用される諸種の工具や機器等は、一般に充電式が多く、あらかじめの充電で使用を繰り返す。しかしバッテリパックからの電源コードの接続による電力で使用する工具や機器等も一般に多く使用されている。【０００３】  所謂バッテリパックの従来例には、例えば、蝶番を回転中心として折り畳むことが可能であり、一方の太陽電池モジュールの側端面に取手部を設け、他方の太陽電池モジュールの側端面に取手部を設け、折り畳む際に、取手部の開口部と取手部の開口部とが重なるように構成した携帯型電源が知られている（例えば、特許文献１参照）。【０００４】  上記携帯型電源は、裏面側にバッテリパック部品を備えており、暗所においても電源としての機能を発揮する。【０００５】
【特許文献１】  特開２００５−１３７０９４号公報
【発明の開示】
【発明が解決しようとする課題】
【０００６】  しかしながら、従来においては、バッテリパック部品は、バッテリが劣化し、充電しても使用時間が短く、電力を与える工具等のトルクが低下する等の状況によりバッテリのみを再購入するものが多かった。しかしバッテリは高価なものであるため、経済的に負担になるという問題があった。【０００７】  一方、バッテリパックの修理に際しては、サーモスタットやヒューズ等の破損有無を確認したり、電池自体の端子結合等のノウハウが必要であるため、一般のユーザには大変困難な作業であり、所謂修理業者の介入が必要不可欠であった。そこで、修理業者においては、修理のノウハウや作業の簡潔化を図って作業の能率化を図ることが重要な課題であった。【０００８】  本発明は、上記従来の技術の問題点を解決し、各種の部品交換が容易であり、しかも部品交換を低コストで行うことができ、部品の再利用が可能であって資源の無駄を省くことができるバッテリパックの修復方法を提供することを目的とする。
【課題を解決するための手段】
【０００９】  上記目的を達成するために、本発明は、バッテリパックの修復方法であって、出力電圧が低下する場合、所定の配列及び所定の接続の複数の蓄電池を収容する二次電池収容体と、前記複数の二次電池からの電力を制御管理する各種構成部品、前記複数の二次電池との接続関係のある直列の複数の二次電池、及び、前記二次電池からの電力を出力する端子を収容する部品保護体とを一体化する一体化手段を外すことにより、前記二次電池収容体と前記部品保護体との着脱可能の一体化を分解する分解工程を有し、かつ、前記部品保護体内の前記二次電池、もしくは前記二次電池収容体内の前記二次電池のうち、能力の低下した二次電池を取り出して正常な二次電池と交換する交換工程を有し、しかる後に、前記一体化手段の利用により前記二次電池収容体と前記部品保護体との着脱可能の一体化を図ることを特徴とする。【００１０】  また、本発明は、バッテリパックの修復方法であって、出力電圧が生じない場合、所定の配列及び所定の接続の複数の二次電池を収容する二次電池収容体と、前記複数の二次電池からの電力を制御管理する各種構成部品、前記複数の二次電池との接続関係のある直列の複数の二次電池、及び、前記二次電池からの電力を出力する端子を収容する部品保護体とを一体化する一体化手段を外すことにより、前記二次電池収容体と前記部品保護体との着脱可能の一体化を分解する分解工程を有し、かつ、前記部品保護体内の前記複数の二次電池からの電力を制御管理する各種構成部品を取り出して正常な構成部品と交換する交換工程を有し、しかる後に、前記一体化手段により前記二次電池収容体と前記部品保護体との着脱可能の一体化を図ることを特徴とする。
【発明の効果】
【００１１】  本発明のバッテリパックの修復方法によれば、各種の部品交換が容易であり、しかも部品交換を低コストで行うことができ、部品の再利用が可能であって資源の無駄を省くことができる。
【発明を実施するための最良の形態】
【００１２】  以下、図面を参照して、本発明に係るバッテリパック（例えば携帯型電源）の一実施の形態について説明する。図１はバッテリパックの着脱可能の上下のハウジングを分解して説明する分解説明図であり、図２はバッテリパックの内部構成を説明する斜視図である。【００１３】  バッテリパック１は、図１に示すように、二次電池収容体を構成する下ハウジング３と、部品保護体を構成する上ハウジング５を有する。上下ハウジング３，５は、一体化手段としてのネジ６の螺合もしくは溶着等により着脱可能に一体化することが可能である。下ハウジング３は、上面側が全体的に一つの開放口となっており、上ハウジング５との一体化でその開放口の閉塞が可能である。その上下ハウジング３，５の各々の材質には、例えば形状維持が容易である樹脂や金属等を用いることが好ましい。【００１４】  二次電池収容体を構成する下ハウジング３は、図２に示すように、所定の接続の充電可能の複数の二次電池１１を収容する。各二次電池１１の電気的な接続には、端子１２を用いて互いに直列に接続するという態様、または端子１２を用いて互いに並列に接続するという態様、もしくは端子１２を用いて所定の直列と所定の並列との任意の組合せを用いるという態様等がある。尚、二次電池１１への充電を行う場合は所定の充電用機器（図示せず）を用いて行うものとする。【００１５】  複数の二次電池１１は、図２に示すように、プラス端子を上に向けた二次電池１１とマイナス端子を上に向けた二次電池１１とを配列することで、各電池１１の端子１２による接続構成を単純化する態様を含む。下ハウジング３には、詳しくは図示しないがその配列を可能にする構成があらかじめ形成されている。但しその配列の態様に限定されるものではなく、各二次電池１１の配列構成には、任意の配列構成を用いて良い。【００１６】  部品保護体を構成する上ハウジング５は、図１に示すように、直列の二つの二次電池（図２参照）１１を収容する電池収容部１３が形成されている。電池収容部１３の底面側は一つの開放口となっており、直列の二つの二次電池（図２参照）１１を収容することが可能である。その直列の二つの二次電池１１も下ハウジング３内の二次電池１１との電気的な接続がある。電池収容部１３には、その直列の二つの二次電池１１の電力とともに、下ハウジング３内の複数の二次電池１１からの電力を制御管理する各種構成部品としてのヒューズもしくはサーモスタットを用いた過電圧制御部品１５を収容し、かつ、複数の蓄電池（図２参照）１１からの電力を出力する端子（図２参照）１６を備える。【００１７】  但し端子１６は一部が外界に露出されており、電源供給対象である工具や作業機器等の任意の機器からの電源入力用のコードの端子（図示せず）との電気的な接続が可能となっている。端子１６のその接続の際には、電源供給対象である機器等に対して所定の電圧・電流を与える。【００１８】  上ハウジング５内に収容する上段の二次電池１１には、所定の電気回路が形成されるとともに端子１６を実装する基盤（図２参照）１７が電気的に接続されている。その電気的な接続には、上段の二次電池１１に対する基盤１７の嵌合、もしくは係合等を図る構成を用いても良い。【���０１９】  尚、基盤１７には、出力電圧を制御する電圧制御部品（図示せず）を接続しても良い。電圧制御部品には、電圧変換回路（図示せず）、電圧調整回路（図示せず）、及び電圧調整用のボリューム（図示せず）等を含む。但しボリューム等の設置は、上ハウジング５もしくは下ハウジング３の任意の位置に設置して良い。このことは電源出力用のスイッチ（図示せず）についても同様である。【００２０】  二次電池収容体を構成する下ハウジング３と、部品保護体を構成する上ハウジング５とは、図１に示すように、双方３，５の着脱可能の一体化を図る一体化手段としてのネジ６もしくは溶着やろう付け等を用いて一体化される。【００２１】  本実施の形態のバッテリパック１は、二次電池１１やヒューズもしくはサーモスタット等の過電圧制御部品１５、もしくは所定の電気回路が形成された基盤１７に寿命等の障害が発生した場合、次のようにその交換修理作業を容易に行うことができる。【００２２】（バッテリパックの修復方法の第１例）
即ち、例えば一つの二次電池１１の能力が低下し、これを交換する場合は、例えばネジ６を外すことで、上下ハウジング３，５を分解（分離）する（分解工程）。そして、下ハウジング３内に収容されている二次電池１１のうち、その能力の低下した二次電池１１を取り出して新しい二次電池と交換する（交換工程）。交換後は、上下ハウジング３，５をネジ６で締めて一体化する。【００２３】（バッテリパックの修復方法の第２例）
また、例えばヒューズもしくはサーモスタット等の過電圧制御部品１５に寿命等の能力低下が発生した場合は、同じく例えばネジ６を外すことで、上下ハウジング３，５を分解（分離）する（分解工程）。そして、上ハウジング５から二次電池１１を引き出すとともに、その過電圧制御部品１５を取り出して新しいものと交換する（交換工程）。交換後は、同じく上下ハウジング３，５をネジ６で締めて一体化する。【００２４】  その他、基盤１７や、スイッチ（図示せず）や、ボリューム（図示せず）等を交換する場合も、上下ハウジング３，５をネジ６を外して分解（分離）することで容易に行うことができる。部品交換に際しては、新品でなくとも不良のない部品との交換（再利用）で対応することも可能である。【００２５】  本実施の形態においては、各種の部品交換が容易であり、しかも部品交換を一つ一つ低コストで行うことができ、部品の再利用も可能であって資源の無駄を省くことも可能である。
【産業上の利用可能性】
【００２６】  本発明のバッテリパック１は、工具や機器等の電源として利用することが可能であり、その修理のノウハウ等の簡潔化を図ることが可能である。
【図面の簡単な説明】
【００２７】
【図１】  実施の形態のバッテリパックの着脱可能の上下のハウジングを分解して説明する分解説明図である。
【図２】  上記バッテリパックの内部構成を説明する斜視図である。
【符号の説明】
【００２８】  １  バッテリパック
３  下ハウジング
５  上ハウジング
６  ネジ
１１  二次電池
１２  端子
１３  電池収容部
１５  過電圧制御部品
１６  端子
１７  基盤
【図１】
2007311319.tif 000003
【図２】
2007311319.tif 000004